(57)【要約】【課題】本発明は結露水を貯水装置に回収する機構をもった除湿装置に関するものであり、除湿性能低下防止と安全性の向上を目的とするものである。【解決手段】仕切り板部３０には、循環風路１３内の結露水を集める第１の受け部３１と、支持枠１１に伝って滴下する結露水を集める第２の受け部３２とを備え、第２の受け部３２は、第１の受け部３１の周囲に配置され、第１の受け部３１に、結露水を貯水部６に滴下するための第１の孔３４を備えているので、循環風路１３外から支持枠１１に伝って滴下する結露水は、第２の受け部３２に貯まり、その結露水は支持枠１１の下面部１１ｂと仕切り板部３０に挟まれた部分から第１の受け部３１へと流入して第１の孔３４から貯水部６に滴下するので、循環風路１３外に漏れ出た結露水を確実に貯水部６に回収できるので、性能低下防止と本体外に水漏れ抑制する除湿装置を提供することができる。【選択図】図４
2019147119.tif 000002
【特許請求の範囲】
【請求項１】
吸込口と吹出口を有する本体ケースと、
前記本体ケース内に設けられ、吸湿領域と放湿領域を有する除湿ローターと、
前記除湿ローターを回転自在に支持する支持枠と、
前記除湿ローターを回転させるモータと、
前記本体ケースの前記吸込口から吸込んだ空気を、除湿風路により、前記除湿ローターの前記吸湿領域を通過後、前記吹出口から前記本体ケース外に排気する送風機と、
前記本体ケース内に設けられた循環風路と、
前記循環風路内で結露した水を貯水する貯水部とを備え、
前記循環風路は、
前記除湿ローターの前記放湿領域と、
前記放湿領域の風上側に設けた発熱部と、
前記放湿領域の風下側に設けた熱交換器と、
前記循環風路内の空気を循環させる循環送風機とを有し、
前記支持枠と前記熱交換器の下方には前記除湿風路と前記貯水部とを仕切る仕切り板部を有し、
前記仕切り板部には、前記循環風路内の結露水を集める第１の受け部と、前記支持枠に伝って滴下する結露水を集める第２の受け部とを備え、
前記第２の受け部は、前記第１の受け部の周囲に配置され、
前記循環風路の一部である前記熱交換器と前記循環送風機と連通する連通路は、前記支持枠の下面部の一部と前記仕切り板部の上面の一部とが重なり、前記下面部と前記第１の受け部とに挟まれた空間であり、
前記連通路には、前記第１の受け部に溜まった水が、前記貯水部に滴下するための第１の孔を備えたことを特徴とする除湿装置。
【請求項２】
前記第２の受け部は、前記仕切り板部から上方に突出した円環状の防水壁に囲まれ、
前記第２の受け部には、前記第２の受け部に溜まった水が、前記貯水部に滴下するための第２の孔を備えたことを特徴とする除湿装置。
【請求項３】
前記防水壁の上部には、前記防水壁の上端から切り欠かれた切欠き部を有し、
前記仕切り板部は、前記第２の受け部の外側に、前記切欠き部からあふれ出た水を前記貯水部に滴下するための第３の孔を備えたことを特徴とする除湿装置。
【発明の詳細な説明】
【技術分野】
【０００１】
本発明は、例えば衣類乾燥用として用いられる除湿装置に関するものである。
【背景技術】
【０００２】
従来、この種の除湿装置は、短辺側と長辺側を有する水平断面形状の本体ケース内に、吸込口から吸気して吹出口から排気するファンと、ファンが供給する空気から吸湿する除湿ローターと、除湿ローターを回転させる駆動手段と、除湿ローターの一部に再生空気を循環させる循環経路および循環ファンと、循環経路において除湿ローターから水分を放出させるヒーターと、除湿ローターが放出した水分を含んだ再生空気をファンが供給する空気で冷却して凝縮させる凝縮器とを備え、凝縮水は循環経路内に設けられた排水口から貯水装置に回収され、吸込口から吸引した空気が除湿ローターと凝縮器に分かれて本体ケース内を概略短辺方向に流れファンに吸込まれるように除湿ローターと凝縮器を本体ケース内の長辺方向に並べて配設したものが知られている（例えば、特許文献１参照）。
【先行技術文献】
【特許文献】
【０００３】
【特許文献１】特開２００７−９８２６４号公報
【発明の概要】
【発明が解決しようとする課題】
【０００４】
このような従来の除湿装置においては、凝縮水の全てを回収出来ないことによる本体ケース外に水漏れを起こしてしまうという課題があった。
【課題を解決するための手段】
【０００５】
そして、この目的を達成するために、吸込口と吹出口を有する本体ケースと、前記本体ケース内に設けられ、吸湿領域と放湿領域を有する除湿ローターと、前記除湿ローターを回転自在に支持する支持枠と、前記除湿ローターを回転させるモータと、前記本体ケースの前記吸込口から吸込んだ空気を、除湿風路により、前記除湿ローターの前記吸湿領域を通過後、前記吹出口から前記本体ケース外に排気する送風機と、前記本体ケース内に設けられた循環風路と、前記循環風路内で結露した水を貯水する貯水部とを備え、前記循環風路は、前記除湿ローターの前記放湿領域と、前記放湿領域の風上側に設けた発熱部と、前記放湿領域の風下側に設けた熱交換器と、前記循環風路内の空気を循環させる循環送風機とを有し、前記支持枠と前記熱交換器の下方には前記除湿風路と前記貯水部とを仕切る仕切り板部を有し、前記仕切り板部には、前記循環風路内の結露水を集める第１の受け部と、前記支持枠に伝って滴下する結露水を集める第２の受け部とを備え、前記第２の受け部は、前記第１の受け部の周囲に配置され、前記循環風路の一部である前記熱交換器と前記循環送風機と連通する連通路は、前記支持枠の下面部の一部と前記仕切り板部の上面の一部とが重なり、前記下面部と前記第１の受け部とに挟まれた空間であり、前記連通路には、前記第１の受け部に溜まった水が、前記貯水部に滴下するための第１の孔を備えたものであり、これにより所期の目的を達成するものである。
【発明の効果】
【０００６】
以上のように本発明は、本体ケース外に水漏れを起こすことを抑制する除湿装置を提供することができる。
【図面の簡単な説明】
【０００７】
【図１】本発明の実施の形態における除湿装置の斜視図
【図２】同除湿装置の分解斜視図
【図３】同除湿装置の図１におけるＡ−Ａ断面の概略断面図
【図４】同除湿装置の内部分解斜視図
【図５】同除湿装置の仕切り板部の斜視図
【図６】同除湿装置の支持枠の斜視図
【図７】同除湿装置の仕切り板部の平面図
【図８】同除湿装置の内部詳細斜視図
【図９】同除湿装置の仕切り板部の平面図
【発明を実施するための形態】
【０００８】
本発明の請求項１記載の除湿装置は、吸込口と吹出口を有する本体ケースと、本体ケース内に設けられ、吸湿領域と放湿領域を有する除湿ローターと、除湿ローターを回転自在に支持する支持枠と、除湿ローターを回転させるモータと、本体ケースの前記吸込口から吸込んだ空気を、除湿風路により、除湿ローターの吸湿領域を通過後、吹出口から本体ケース外に排気する送風機と、本体ケース内に設けられた循環風路と、循環風路内で結露した水を貯水する貯水部とを備え、循環風路は、除湿ローターの放湿領域と、放湿領域の風上側に設けた発熱部と、放湿領域の風下側に設けた熱交換器と、循環風路内の空気を循環させる循環送風機とを有し、支持枠と熱交換器の下方には除湿風路と貯水部とを仕切る仕切り板部を有し、仕切り板部には、循環風路内の結露水を集める第１の受け部と、支持枠に伝って滴下する結露水を集める第２の受け部とを備え、第２の受け部は、第１の受け部の周囲に配置され、前記循環風路の一部である前記熱交換器と前記循環送風機と連通する連通路は、前記支持枠の下面部の一部と前記仕切り板部の上面の一部とが重なり、前記下面部と前記第１の受け部とに挟まれた空間であり、連通路には、第１の受け部に溜まった水が、貯水部に滴下するための第１の孔を備えた構成を有する。
【０００９】
これにより、循環風路外から支持枠に伝って滴下する結露水は、第２の受け部に貯まり、貯まった結露水は、支持枠の下面部の一部と仕切り板部の上面の一部とが重なった間から連通路内の第１の受け部へと流入して第１の孔から貯水部に滴下するので、循環風路外に漏れ出た結露水を確実に貯水部に回収することができ、結露水の蒸発による除湿性能の低下防止と本体外に水漏れを起こす心配のない除湿装置を提供することができる。結果として、性能低下防止と安全性を更に向上する効果を奏する。
【００１０】
また、第２の受け部は、仕切り板部から上方に突出した円環状の防水壁に囲まれ、第２の受け部には、第２の受け部に溜まった水が、貯水部に滴下するための第２の孔を備えた構成としてもよい。
【００１１】
これにより、循環風路外から支持枠に伝って滴下する結露水は、第２の受け部に貯まり、貯まった結露水は、支持枠の下面部の一部と仕切り板部の上面の一部とが重なった間から連通路内の第１の受け部へと流入して第１の孔から貯水部に滴下するか、もしくは第２の受け部に貯まった結露水は、第２の孔から直接貯水部に滴下するので、循環風路外に漏れ出た結露水を確実に貯水部に回収することができる。更に、第１の孔がホコリなどで塞がった場合においても、第１の受け部に貯まった結露水が、支持枠と仕切り板部に挟まれた部分から第２の受け部へと流入して第２の孔から貯水部に滴下するので、第１の孔が塞がった場合でも本体外へ水漏れ不具合を無くすことと、結露水の蒸発による除湿性能の低下防止ができる除湿装置を提供することができる。結果として、性能低下防止と安全性を更に向上する効果を奏する。
【００１２】
また、防水壁の上部には、防水壁の上端から切り欠かれた切欠き部を有し、仕切り板部は、第２の受け部の外側に、切欠き部からあふれ出た水を貯水部に滴下するための第３の孔を備えた構成としてもよい。
【００１３】
これにより、循環風路外から支持枠に伝って滴下する結露水は、第２の受け部に貯まり、貯まった結露水は、支持枠の下面部の一部と仕切り板部の上面の一部とが重なった間から連通路内の前記第１の受け部へと流入して第１の孔から貯水部に滴下するか、もしくは第２の受け部に貯まった結露水は、第２の孔から直接貯水部に滴下するので、循環風路外に漏れ出た結露水を確実に貯水部に回収することができる。更に、第１の孔と第２の孔がホコリなどで塞がった場合においても、第１の受け部に貯まった結露水が、支持枠と仕切り板部に挟まれた部分から第２の受け部へと流入して、そのようにして貯まった第２の受け部の結露水も防水壁の切欠き部からあふれ出て、第３の孔から貯水部に滴下するので、第１の孔と第２の孔が塞がった場合でも本体外へ水漏れ不具合を無くすことができる除湿装置を提供することができる。結果として、安全性を更に向上する効果を奏する。
【００１４】
以下、本発明の実施の形態について図面を参照しながら説明する。
【００１５】
（実施の形態１）
図１は本発明の実施の形態における除湿装置の斜視図であり、図２は概略構成を示す分解斜視図を図３には図１におけるＡ−Ａ断面の概略断面図を示す。
【００１６】
図１、図２、図３に示すように、本実施形態の除湿装置は、縦長箱形状の本体ケース１の前面に吸込口２を設け、本体ケース１の上面の前面側には操作部３を、本体ケース１の上面の背面側には吹出口４を有している。使用者は、操作部３を操作することで除湿装置の操作および運転モードの確認をすることができる。吹出口４の上方には、回動自在なルーバー５を備えている。本体ケース１の背面側下方には、貯水部６が出没自在に設けられており、本体ケース１内で生成された除湿水を貯水する。
【００１７】
本体ケース１内には、除湿ロータ部７と、再生ユニット８と、送風機９とを備えている。
【００１８】
除湿ロータ部７は、除湿ロータ１０と、支持枠１１と、モータ１２とを有している。
【００１９】
除湿ロータ１０は、円板形状で、回転軸が水平方向に延びるように、支持枠１１に回動自在に設けられている。除湿ロータ１０は、吸着材が担持された軸方向に通風可能なハニカム形状で構成されており、この吸着材は、晒される空気の相対湿度が高ければ多くの水分を保持でき、相対湿度が低くなると保持可能な水分量が減少する特性を有している。このように、相対湿度の異なる複数の空気との接触を繰り返せば、各々の相対湿度における吸着材の保持可能な水分量の差に応じて水分の吸脱着が行われることになる。除湿ロータは、空気中の水分を除湿ロータ１０に吸着する吸湿領域１０ａと、除湿ロータ１０に吸着した水分を放出する放湿領域１０ｂとを有する。除湿ロータ１０の外周には、多数の歯１０ｃを有している。
【００２０】
支持枠１１は、本体ケース１における前面側と背面側とを仕切るように配置され、中央部には、円形の開口１１ａを有している。除湿ロータ１０は、本体ケース１における背面と支持枠１１との間に配置され、支持枠１１の開口１１ａを塞ぐように、回動自在に設けられている。支持枠１１の下部には、下方に開口した蓋形状である下面部１１ｂを備えている。
【００２１】
モータ１２は、支持枠１１に固定され、歯車１２ａを有し、歯車１２ａは、除湿ロータ１０外周から突出した多数の歯１０ｃと接触する。モータ１２が駆動すると歯車１２ａが回転し、この歯車１２ａによって除湿ロータ１０も回転する。
【００２２】
再生ユニット８は、除湿ロータ１０における放湿領域１０ｂの一方側面（本体ケースにおける前面側）と、除湿ロータ１０における放湿領域１０ｂの他方側面（本体ケースにおける背面側）と連通する循環風路１３と、循環風路１３内に設けた、発熱部１４と、熱交換器１５と、循環送風機１６とを有する。
【００２３】
発熱部１４は、除湿ロータ１０における放湿領域１０ｂの一方側面（本体ケースにおける背面側）に配置されている。発熱部１４は、ニクロム線などの通電発熱する材料で構成され、発熱することにより除湿ロータ１０の放湿領域１０ｂにおいて、除湿ロータ１０から水分を放出させている。
【００２４】
熱交換器１５は、除湿ロータ１０の放湿領域１０ｂから放出した水分を含む再生空気と、送風機９が供給する室内空気とを熱交換して水分を凝縮する。熱交換器１５は、本体ケース１における前面と支持枠１１との間に、除湿ロータ１０と水平方向に隣り合うように配置されている。
【００２５】
循環送風機１６は、モータ１６ａと羽根車１６ｂを組み合わせた、いわゆるシロッコファンとして構成し、循環風路１３内で空気の循環を行っている。循環送風機１６は、循環風路１３における発熱部１４と熱交換器１５との間に配置されている。循環送風機１６から送風された空気は、発熱部１４、除湿ロータ１０における放湿領域１０ｂ、熱交換器１５を順次介して、循環送風機１６に吸い込まれる。
【００２６】
送風機９は、本体ケース１における背面と支持枠１１との間に配置されている。送風機９は、モータ部９ａと、モータ部９ａにより回転するファン部９ｂと、それらを囲むスクロール形状のケーシング部９ｃとを備えている。
【００２７】
モータ部９ａは、ケーシング部９ｃに固定されている。
【００２８】
ファン部９ｂは、シロッコファンで、モータ部９ａから水平方向に延びた回転軸（図示せず）に固定されている。モータ部９ａの回転軸は、本体ケース１の前面側から背面側に延びている。
【００２９】
ケーシング部９ｃには、吐出口１７と吸気口１８とが設けられている。吐出口１７は、ケーシング部９ｃの本体ケース１における上面側に設けられている。また、吸気口１８は、ケーシング部９ｃの本体ケース１における前面側に設けられている。ケーシング部９ｃは、モータ部９ａを固定し、吸気口１８が設けられた吸込面部分１９と、吸込面部分１９に対向した吸込対向面部分２０と、吸込面部分１９と吸込対向面部分２０とを連結するスクロール形状のスクロール面部分２１とを有している。モータ部９ａによって、ファン部９ｂが回転すると、ケーシング部９ｃの吸気口１８からケーシング部９ｃ内に空気が吸い込まれ、この吸い込まれた空気は、吐出口１７からケーシング部９ｃ外へ送風される。
【００３０】
本体ケース内には、除湿風路２２と、冷却風路２３と有している。
【００３１】
除湿風路２２は、本体ケース１の吸込口２と、除湿ロータ１０の吸湿領域１０ａと、送風機９とを連通する風路である。本体ケース１の吸込口２から吸い込んだ空気の水分は、除湿ロータ１０の吸湿領域１０ａで、除湿ロータ１０に吸着され、除湿される。冷却風路２３は、本体ケース１の吸込口２と、熱交換器１５と、送風機９とを連通する風路である。本体ケース１の吸込口２から吸い込んだ空気によって、熱交換器１５が冷却される。除湿風路２２と冷却風路２３とを通過したそれぞれの空気は、送風機９で混合され、吹出口４から本体ケース外へ送風される。
【００３２】
以上の構成における除湿動作について説明する。送風機９により吸込口２から室内空気を吸引し、除湿ロータ１０の吸湿領域１０ａに水分を吸湿させ、除湿された空気を乾燥空気として吹出口４から室内に送風する（除湿風路）。除湿ロータ１０に吸湿された水分は、除湿ロータ１０の回転駆動により放湿領域１０ｂに移動し、発熱部１４の加熱により循環風路１３に放出される。循環風路１３では循環送風機１６の送風により、除湿ロータ１０の放湿領域１０ｂから送出した高温多湿の空気は、熱交換器１５に送風される。熱交換器１５では循環風路１３と送風機９により本体ケース１内に吸引され、熱交換器１５を冷却する冷却風路２３とが熱交換を行い、循環風路１３の高温多湿空気は冷却され水分が凝縮し結露水として貯水部６に回収される。熱交換器１５を冷却し、温度が上昇した冷却風路２３の空気は、送風機９により、除湿風路２２の空気と混合され吹出口４から室内に送風される。このように、室内空気の除湿動作がなされている。
【００３３】
図４は本発明の実施の形態における除湿装置の内部分解斜視図である。図５は本発明の実施の形態における除湿装置の仕切り板部の斜視図である。図６は本発明の実施の形態における除湿装置の支持枠の斜視図であり、支持枠を下方から見た図である。
【００３４】
図４、５、６に示すように、本実施形態における特徴は、支持枠１１と熱交換器１５の下方、貯水部６の上方に設けられ、貯水部６と除湿風路とを仕切る仕切り板部３０である。
【００３５】
仕切り板部３０は、循環風路１３内の結露水を集める第１の受け部３１と、支持枠に伝って滴下する結露水を集める第２の受け部３２とを備えている。
【００３６】
第１の受け部３１は、仕切り板部３０が下方へ窪んだ窪みである。この窪みは、内部に空間ができるように、支持枠１１と熱交換器１５とによって覆われている。
【００３７】
第２の受け部３２は、第１の受け部３１の周囲に配置されている。第２の受け部３２は、仕切り板部３０から上方に突出した円環状の防水壁３５に囲まれている。防水壁３５は、細長い板で、リブ形状である。防水壁３５の内方には、第１の受け部３１と第２の受け部３２が配置されている。
【００３８】
支持枠１１における下部の下面部１１ｂの一部と、仕切り板部３０の上面の一部とが重なり固定され、支持枠１１と仕切り板部３０とに挟まれた空間が、連通路３３である。具体的には、支持枠１１の下部には、下方に開口した蓋形状である下面部１１ｂを備え、下面部１１ｂの下端と、仕切り板部３０の上面の一部とが重なり固定されている。このように、支持枠１１の下面部１１ｂの下端の一部と、仕切り板部３０の上面の一部とは、重ね合わされているだけなので、この重なった部分、つまり重なった下面部１１ｂの下端と、仕切り板部３０の上面との間には、僅かながら隙間が生じる。水は、この隙間を介して、第１の受け部３１と第２の受け部３２とを出入りできるものである。
【００３９】
図７は本発明の実施の形態における除湿装置の仕切り板部を上方から見た、仕切り板部の平面図である。図８は本発明の実施の形態における除湿装置の内部詳細斜視図である。
【００４０】
図７、８に示すように、連通路３３は、循環風路１３の一部であり、熱交換器１５と循環送風機１６と連通する。第１の受け部３１における連通路３３には、第１の受け部３１に溜まった水が、貯水部６に滴下するための第１の孔３４を備えている。第１の孔３４は、仕切り板部３０より上方の空間と、仕切り板部３０より下方の空間とを連通する孔である。
【００４１】
これにより、循環風路１３の外部に漏れた結露水が支持枠１１に伝った後、結露水は第２の受け部３２に貯まり、貯まった結露水は支持枠１１の下面部１１ｂと仕切り板部３０の上面とが、重なった部分から連通路３３内の第１の受け部３１へと流入して第１の孔３４から貯水部６に滴下する。これにより、循環風路１３の外に漏れ出た結露水を確実に貯水部６に回収することができるので、結露水の蒸発による除湿性能の低下防止と本体外に水漏れを起こす心配のない除湿装置を提供することができる。結果として、性能低下防止と安全性を更に向上する効果を奏する。
【００４２】
図８は本発明の実施の形態における除湿装置の仕切り板部を上方から見た、仕切り板部の平面図である。
【００４３】
図５、９に示すように、第２の受け部３２には、第２の受け部３２に溜まった水が、貯水部６に滴下するための第２の孔３６を備えている。第２の孔３６は、第２の受け部３２における支持枠１１と本体ケース１の背面との間に配置されている。第２の孔３６は、仕切り板部３０より上方の空間と、仕切り板部３０より下方の空間とを連通する孔である。
【００４４】
これにより、循環風路１３の外から支持枠１１に伝って滴下する結露水は、第２の受け部３２に貯まる。この貯まった結露水は、支持枠１１の下面部１１ｂと仕切り板部３０の上面とが、重なった部分から連通路３３内の第１の受け部３１へと流入して第１の孔３４から貯水部６に滴下するか、もしくは第２の受け部３２に貯まった結露水は、第２の孔３６から直接貯水部６に滴下する。これにより、循環風路１３の外に漏れ出た結露水を確実に貯水部６に回収することができる。更に、第１の孔３４がホコリなどで塞がった場合においても、第１の受け部３１に貯まった結露水が、支持枠１１の下面部１１ｂと仕切り板部３０の上面とが、重なった部分から第２の受け部３２へと流入して第２の孔３６から貯水部６に滴下するので、第１の孔３４が塞がった場合でも本体外へ水漏れ不具合を無くすことと、結露水の蒸発による除湿性能の低下防止ができる除湿装置を提供することができる。結果として、性能低下防止と安全性を更に向上する効果を奏する。
【００４５】
また、図５、８に示すように、防水壁３５の上部には、防水壁３５の上端から切り欠かれた切欠き部３７を有している。仕切り板部３０は、第２の受け部３２の外側に、切欠き部からあふれ出た水を貯水部６に滴下するための第３の孔３８を備えている。第３の孔３８は、第２の受け部３２における支持枠１１と本体ケース１の背面との間に配置されている。第３の孔３８は、仕切り板部３０より上方の空間と、仕切り板部３０より下方の空間とを連通する孔である。
【００４６】
これにより、循環風路１３の外から支持枠１１に伝って滴下する結露水は、第２の受け部３２に貯まる。この貯まった結露水は、支持枠１１と仕切り板部３０に挟まれた部分から連通路３３内の前記第１の受け部３１へと流入して第１の孔３４から貯水部６に滴下するか、もしくは第２の受け部３２に貯まった結露水は、第２の孔３６から直接貯水部６に滴下する。これにより、循環風路１３の外に漏れ出た結露水を確実に貯水部６に回収することができるとともに、第１の孔３４と第２の孔３６がホコリなどで塞がった場合においても、第１の受け部３１に貯まった結露水が、支持枠１１と仕切り板部３０に挟まれた部分から第２の受け部３２へと流入する。このようにして貯まった第２の受け部３２の結露水も防水壁３５の切欠き部３７からあふれ出て、第３の孔３８から貯水部６に滴下するので、第１の孔３４と第２の孔３６が塞がった場合でも本体外へ水漏れ不具合を無くすことができる除湿装置を提供することができる。結果として、安全性を更に向上する効果を奏する。
【産業上の利用可能性】
【００４７】
本発明は、部屋の除湿用や衣類乾燥用に使用され、本体外に水漏れを抑制する除湿装置等として有用である。
【符号の説明】
【００４８】
１    本体ケース
２    吸込口
３    操作部
４    吹出口
５    ルーバー
６    貯水部
７    除湿ロータ部
８    再生ユニット
９    送風機
９ａ    モータ部
９ｂ    ファン部
９ｃ    ケーシング部
１０    除湿ロータ
１０ａ    吸湿領域
１０ｂ    放湿領域
１０ｃ    歯
１１    支持枠
１１ａ    開口
１１ｂ    下面部
１２    モータ
１２ａ    歯車
１３    循環風路
１４    発熱部
１５    熱交換器
１６    循環送風機
１７    吐出口
１８    吸気口
１９    吸込面部分
２０    吸込対向面部分
２１    スクロール面部分
２２    除湿風路
２３    冷却風路
３０    仕切り板部
３１    第１の受け部
３２    第２の受け部
３３    連通路
３４    第１の孔
３５    防水壁
３６    第２の孔
３７    切欠き部
３８    第３の孔
【図１】
2019147119.tif 000003
【図２】
2019147119.tif 000004
【図３】
2019147119.tif 000005
【図４】
2019147119.tif 000006
【図５】
2019147119.tif 000007
【図６】
2019147119.tif 000008
【図７】
2019147119.tif 000009
【図８】
2019147119.tif 000010
【図９】
2019147119.tif 000011